(57)【要約】【課題】靴に取り付けて使用するプロテクターで、容易に着脱ができ且つ一般的な作業靴に取り付けることで安全靴として使用することを可能にする靴用プロテクターを提供することを目的とするものである。【解決手段】略台形状の鉄鋼晩成の保護部２ａ及び前記保護部２ａの内面２ｄに取り付けたクッション部材４からなる保護部材２とゴム製の左右調節ベルト３ａ、３ｂ及び係止ベルト３ｃからなるベルト部３で構成され、前記保護部材２を構成する保護部材２ａは足甲に密着するよう湾曲に形成され、保護部２ａの上方にはベルト部３を構成する係止ベルト３ｃの両端３ｄ、３ｅを挿通し保護部材２飛べる飛ぶ３を一体とするための挿通孔５、５ａを設け、また前記ベルト部３を構成する調節部材６によって長さの調節が可能な左調節ベルト３ａと右調節ベルト３ｂは係止具７によって互いを係止することを特徴とする靴用プロテクター１の構成とした。【選択図】図１
2008264050.tif 000002
【特許請求の範囲】
【請求項１】
保護部及び前記保護部の内面に取り付けたクッション部材からなる保護部材と左右調節ベルト及び係止ベルトからなるベルト部で構成され、湾曲した略台形状の鉄鋼板で成型された前記保護部は上方に挿通孔を設け、前記ベルト部を構成する左右調節ベルト及び係止ベルトは共にゴム製で、前記左調節ベルトには長さを調節するための調節部材及び左係止部材を取り付け、右調節ベルトには右係止部材を取り付けたことで左右調節ベルトを互いに係止することができ、係止ベルトの両端を前記保護部に設けた挿通孔に挿通して係止ベルト及び左右調節ベルトを取り付け、保護部材とベルト部とを一体としたことを特徴とする靴用プロテクター。
【発明の詳細な説明】
【技術分野】
【０００１】
本発明は、建築工事等の作業現場で、作業者が足の甲を安全に保護するために靴に取り付けて使用する靴用プロテクターに関するものである。
【背景技術】
【０００２】
従来、建設工事等の作業現場で使用されている、作業者が落下物から足の甲を安全に保護するための安全靴としては、靴内部に鉄鋼板等の芯が内蔵され靴本体と一体化している物が多い。そのため、落下物の危険性のない安全な場所を歩行したり作業する場合には、靴内部に内蔵されている鉄鋼板等の芯が邪魔になったり足に負担をかけ疲れやすくする等の問題がある。また、安全靴を買うためには専門の店に行かなければならず、容易に手に入れることが出来ない。
【０００３】
また、特許文献１に記載の発明のように、使用中の足に適応して、容易に前後にスライド移動する足甲プロテクタを装着した足甲プロテクタ安全靴の発明も公開されている。
【０００４】
しかしながら、前記足甲プロテクタ安全靴は、プロテクタを着脱可能な構成にしても、足甲プロテクタが靴紐に取り付けられているために、着脱可能とはいえ取り外す場合には靴紐を解かなくてはならず、容易に外すことが出来ないという欠点がある。
【特許文献１】特開平９−２８９９０２号
【発明の開示】
【発明が解決しようとする課題】
【０００５】
そこで、本発明は、靴に取り付けて使用するプロテクターで長さの調節が可能なベルトを装着することによって、容易に着脱ができ、且つ専用の安全靴でない一般的な作業靴でも本発明である靴用プロテクターを取り付けることですぐに安全靴として使用することを可能にする靴用プロテクターを提供することを目的とするものである。
【課題を解決するための手段】
【０００６】
本発明は、上記の課題を解決するために、略台形状の鉄鋼板製の保護部２ａ及び前記保護部２ａの内面２ｄに取り付けたクッション部材４からなる保護部材２とゴム製の左右調節ベルト３ａ、３ｂ及び係止ベルト３ｃからなるベルト部３からなり、前記保護部材２を構成する保護部２ａは足甲に密着するよう湾曲し、保護部２ａの上方にはベルト部３の係止ベルト３ｃの両端３ｄ、３ｅを挿通し保護部材２とベルト部３を一体とするための挿通孔５、５ａを設け、前記ベルト部３を構成する長さの調節が可能な左調節ベルト３ａと右調節ベルト３ｂは係止具７によって互いを係止することを特徴とする靴用プロテクター１の構成とした。
【発明の効果】
【０００７】
本発明である靴用プロテクターは、保護部材とベルト部から構成され、前記保護部材は硬い鉄鋼板で保護部が形成されているためにしっかりと足甲を保護することができ、また足甲との接触面である保護部の内面にはクッション部材が取り付けられているので足甲に係る衝撃を吸収し、作業者の足に係る負担をやわらげることができる。
【０００８】
また、本発明である靴用プロテクターを構成するベルト部は、長さの調節が可能であるためにどのような靴に対しても着脱可能に使用することができ、使用する際には左右調節ベルトで作業者の足に装着し、係止ベルトを靴に固定してしっかりと靴に取り付けられるために安定して使用できると共に、左右調節ベルトの係止具を外し係止ベルトを靴から外すだけで靴用プロテクターを外すことができるため、必要なときだけ靴用プロテクターを使用し安全な場所では簡単に取り外すことが可能となる。
【発明を実施するための最良の形態】
【０００９】
本発明である靴用プロテクターは、保護部材とベルト部で構成され、前記保護部材は鉄鋼板を湾曲した略台形状に形成することで保護部が足甲に密着し、足甲との接触面となる前記保護部の内面にはクッション部材を取り付けることで、硬い保護部材による足甲への衝撃を防ぐことが可能となり、前記保護部に形成された挿通孔に係止ベルトの両端を挿通することで保護部材と一体に取り付けられたベルト部は、調節部材を用いることで長さの調節を可能とした左調節ベルト、右調節ベルト及び係止ベルトからなり、前記左右調節ベルトは係止具を用いて互いに係止し、係止ベルトは使用の際に靴底に掛けて本発明である靴用プロテクターを靴に装着して使用することを特徴とする靴用プロテクターである。
【実施例１】
【００１０】
図１は本発明である靴用プロテクターの斜視図である。図１に示すように、本発明である靴用プロテクター１は、保護部２ａ及びクッション部材４からなる保護部材２と係止具７で互いに係止することが可能な左右調節ベルト３ａ、３ｂ及び係止ベルト３ｃからなるベルト部３で構成されている。前記保護部材２とベルト部３は、保護部２ａの上方に設けた挿通孔５、５ａに係止ベルト３ｃの左端３ｄ及び右端３ｅをそれぞれを挿通して折り返し、固定金具８、８ａを用いて左右調節ベルト３ａ、３ｂと係止ベルト３ｃを固定することで、保護部材２にベルト部３を取り付けている。
【００１１】
以下に図２から図６を用いて本発明である靴用プロテクターを構成する保護部材について説明する。図２は本発明である靴用プロテクターを構成する保護部材の正面図、図３は保護部材の平面図、図４は保護部材の底面図、図５は保護部材の背面図、図６は図２中に示したＡ−Ａ線に沿った保護部材の断面図である。
【００１２】
図２から図５に示すように、本発明である靴用プロテクター１を構成する保護部材２は、鉄鋼板を湾曲した略台形状に形成したことでなる保護部２ａ及び保護部２ａの内面２ｄに取り付けられたクッション部材４から構成されている。
【００１３】
図２に示すように、保護部材２を構成する保護部２ａは、足甲に密着するよう下辺２ｃの長さよりも上辺２ｂの長さが短い略台形状に形成されている。本発明である靴用プロテクター１を靴に取り付け使用する際に、足首の動きを邪魔することなく使用するために上辺２ｂを短くし、また足甲をしっかりと覆い保護するために下辺２ｃを長くした略台形状に形成されているものである。
【００１４】
保護部２ａの上方には略楕円形状の挿通孔５、５ａが設けられている。前記挿通孔５、５ａは、保護部材２とベルト部３を一体化するために、ベルト部３を構成する係止ベルト３ｃの左端３ｄ、右端３ｅをそれぞれ挿通するための孔である。
【００１５】
図３及び図４に示すように、保護部材２を構成する保護部２ａは、左辺２ｅ及び右辺２ｆが背面に向かって湾曲しているため、上辺２ｂは緩やかな弧を描くように形成され、下辺２ｃは略コ字状に形成されている。また、保護部２ａと足甲の密着性を高め、足の動きを邪魔しないために、上辺２ｂ及び下辺２ｃは外側に向かってやや反るように形成されている。
【００１６】
保護部２ａの内面２ｄには保護部２を構成するクッション部材４が取り付けられている。前記クッション部材４は弾力性のある柔らかい素材でできており、足甲との接触面となる保護部２ａの内面２ｄの下方に取り付けられている。
【００１７】
前記クッション部材４を保護部２ａの内面２ｄに取り付けることによって、足甲への衝撃をやわらげることができる。すなわち、保護部２ａの内面２ｄは足甲との接触面であるため、クッション部材４を取り付けることによって、保護部２ａの硬さによって足にかかる負担を和らげることが出来るともに、作業中の落下物等により保護部２ａに衝撃が加わった場合にもクッション部材４が衝撃を吸収し、足甲に直接かかる衝撃を軽くすることが可能となる。
【００１８】
図６は本発明である靴用プロテクターを構成する保護部材のＡ−Ａ線に沿った縦断面図である。図６に示すように保護部材２を構成する保護部２ａとクッション部材４は、保護部２ａの内面２ｄにクッション部材４が密着して取り付けられている。
【００１９】
また、保護部２ａの上辺２ｂ及び下辺２ｃはそれぞれ外側に向かって反っているために縦方向は外側に向かって緩やかに弧を描いた形状に形成されていると共に、左辺２ｅ及び右辺２ｆは背面に向かって湾曲するよう形成されているため、その背面に密着するクッション部材４も上辺４ｃ及び下辺４ｄがやや外側に反っており、また左辺４ａ及び右辺４ｂは背面に向かって湾曲している。
【００２０】
図７は本発明である靴用プロテクターの正面図、図８は本発明である靴用プロテクターの左側面図、図９は本発明である靴用プロテクターの背面図、図１０はベルト部を構成する左右調節ベルトに用いる係止具を示した図である。図７から図９に示すように本発明である靴用プロテクター１は保護部材２及びベルト部３で構成されている。
【００２１】
以下に図７から図９を用いてベルト部３について説明する。ベルト部３は図１０に示した係止具７を用いて互いに係止することが可能な左右調節ベルト３ａ、３ｂ及び係止ベルト３ｃで構成され、ベルト部３を構成する前記左右調節ベルト３ａ、３ｂ及び係止ベルト３ｃは、ゴム製である。
【００２２】
ベルト部３を構成する左調節ベルト３ａには調節部材６が取り付けられているために長さの調節が可能である。前記調節部材６を取り付けることで左調節ベルト３ａの右端に発生する環の部分には係止具７の左係止部材７ａが通されている。
【００２３】
ベルト部３を構成する右調節ベルト３ｂの左端には係止具７の右係止部材７ｂが取り付けられている。前記左調節ベルト３ａ、右調節ベルト３ｂは共に滑りにくいゴム製であるために、左調節ベルト３ａに取り付けられた調節部材６及び左係止部材７ａ、右調節ベルト３ｂに取り付けられた右係止部材７ｂが滑り抜ける危険性は少ない。
【００２４】
ベルト部３を構成する係止ベルト３ｃは、一本のゴム製のベルトである。係止ベルト３ｃは保護部材２を構成する保護部２ａの上方に設けられた挿通孔５ａの背面から正面に向かって左端３ｄを挿通し、保護部２ａの左辺２ｅに向かって折り返している。すなわち、係止ベルト３ｃの左方には保護部２ａを通している環が形成されることになる。
【００２５】
前記係止ベルト３ｃの左方に出来た環の部分には保護部２ａが通されており、前記係止ベルト３ｃの左端３ｄと係止ベルト３ｃ本体に左調節ベルト３ａの左端を挟み込んで固定金具８を用いて固定することで、左調節ベルト３ａ、係止ベルト３ｃ、保護部材２を一体とすることができる。
【００２６】
係止ベルト３ｃのもう一方の端である右端３ｅも同様に、保護部材２を構成する保護部２ａの上方に設けられた挿通孔５の背面から正面に向かって挿通させ、保護部２ａの右辺２ｆに向かって折り返すことで、係止ベルト３ｃの右方には保護部２ａを通している環が形成される。
【００２７】
前記係止ベルト３ｃの右方に出来た環の部分には保護部２ａが通されており、前記係止ベルト３ｃの右端３ｅと係止ベルト３ｃ本体に右調節ベルト３ｂの右端を挟み込んで固定金具８ａを用いて固定することで、左調節ベルト３ｂ、係止ベルト３ｃ、保護部材２を一体とすることができる。
【００２８】
すなわち、係止ベルト３ｃの左端３ｄ及び右端３ｅをそれぞれ保護部材２に設けられた挿通孔５、５ａにそれぞれ挿通させて折り返し、前記係止ベルト３ｃの左端３ｄに左調節ベルト３ａ、右端３ｅに右調節ベルト３ｂをそれぞれ挟み込んで固定金具８、８ａを用いて固定することで保護部材２とベルト部３を一体化させ、本発明である靴用プロテクター１を構成するものである。
【００２９】
図１０は本発明である靴用プロテクターを構成するベルト部３に使用する係止具を示す図である。前記ベルト部３を構成する左調節ベルト３ａと右調節ベルト３ｂは、図１０に示した係止具７によって、互いに係止することが出来る。
【００３０】
前記係止具７は、左調節ベルト３ａの右端に取り付けられた左係止部材７ａと右調節ベルト３ｂの左端に取り付けられた右係止部材７ｂを嵌め合わせることで係止する。すなわち、左係止部材７ａの突起７ｄを右係止部材７ｂの開口部に挿入し、突起７ｄを右係止部材７ｂに設けられた係止孔７ｃに引っかけて係止させる。
【００３１】
左右調節ベルト３ａ、３ｂは、左調節ベルト３ａに取り付けられた調節部材６で長さを調節し、係止具７の左係止部材７ａと右係止部材７ｂを嵌め合わせることで、左調節ベルト３ａと右調節ベルト３ｂを互いに係止することができる。
【００３２】
図１１は、本発明である靴用プロテクターを靴に取り付けて使用する使用状態を示した図である。図１１に示すように、本発明である靴用プロテクター１は、保護部材２が靴９の甲９ａ部分と密接するように取り付けて使用する。
【００３３】
まず保護部材２が靴９の甲９ａにはまるように当て、係止ベルト３ｃを足裏の土踏まず９ｂの窪みに嵌めて固定し、左調節ベルト３ａの調節部材６で作業者に合わせた長さに調節して、左調節ベルト３ａに取り付けた左係止部材７ａと右調節ベルト３ｂに取り付けた右係止部材７ｂを足首の後ろで嵌め合わせて左調節ベルト３ａと右調節ベルト３ｂを係止させることで、簡単に本発明である靴用プロテクター１を靴９に取り付けることができ、必要がないときには簡単に取り外すことも出来る。
【図面の簡単な説明】
【００３４】
【図１】本発明である靴用プロテクターの斜視図である。
【図２】本発明である靴用プロテクターを構成する保護部材の正面図である。
【図３】本発明である靴用プロテクターを構成する保護部材の平面図である。
【図４】本発明である靴用プロテクターを構成する保護部材の底面図である。
【図５】本発明である靴用プロテクターを構成する保護部材の背面図である。
【図６】本発明である靴用プロテクターを構成する保護部材のＡ−Ａ線に沿った断面図である。
【図７】本発明である靴用プロテクターの正面図である。
【図８】本発明である靴用プロテクターの左側面図である。
【図９】本発明である靴用プロテクターの背面図である。
【図１０】本発明である靴用プロテクターを構成するベルト部に使用する係止具を示す図である。
【図１１】本発明である靴用プロテクターを靴に取り付けた使用状態を示す図である。
【符号の説明】
【００３５】
１            靴用プロテクター
２            保護部材
２ａ          保護部
２ｂ          上辺
２ｃ          下辺
２ｄ          内面
２ｅ          左辺
２ｆ          右辺
３            ベルト部
３ａ          左調節ベルト
３ｂ          右調節ベルト
３ｃ          係止ベルト
３ｄ          左端
３ｅ          右端
４            クッション部材
４ａ          左辺
４ｂ          右辺
４ｃ          上辺
４ｄ          下辺
５            挿通孔
５ａ          挿通孔
６            調節部材
７            係止具
７ａ          左係止部材
７ｂ          右係止部材
７ｃ          係止孔
７ｄ          突起
８、８ａ      固定金具
９            靴
９ａ          甲
９ｂ          土踏まず
１０            足首
【図１】
2008264050.tif 000003
【図２】
2008264050.tif 000004
【図３】
2008264050.tif 000005
【図４】
2008264050.tif 000006
【図５】
2008264050.tif 000007
【図６】
2008264050.tif 000008
【図７】
2008264050.tif 000009
【図８】
2008264050.tif 000010
【図９】
2008264050.tif 000011
【図１０】
2008264050.tif 000012
【図１１】
2008264050.tif 000013